(57)【特許請求の範囲】
【請求項１】
透明または半透明の素材で形成された円形の外容器本体と、外容器本体内に装着される円形の内容器本体と、内容器本体に装着されるキャップとから形成された二重容器であって、
外容器本体の外周壁には、前面側に装飾部が配設され、
外周壁の内周上面には、左右両側に嵌合凹部、背面側に係合凹部が凹設され、
内容器本体の外周壁の外周には、装飾部が配設され、左右両側と背面側に、外容器本体の二つの嵌合凹部と係合凹部に挿入する係合凸部が配設され、
外容器本体の二つの嵌合凹部と係合凹部に、内容器本体の三つの係合凸部が係合し、外容器本体と内容器本体を、常に容器の前面側を位置合わせして装着させることができるようにしたことを特徴とする二重容器。
【請求項２】
嵌合凹部は、外周壁の上端から下方に向かって所定の高さまで、所定の横幅で形成された挿入縦凹溝と、挿入縦凹溝の下部左側から左方向に連設され、下方に向かって所定の高さまで、挿入縦凹溝と同一の横幅で形成された縦凹溝とからなり、
係合凹部は、外周壁の上端から下方に向かって所定の高さまで、挿入縦凹溝のほぼ二倍の横幅で形成された幅広挿入縦凹溝と、幅広侵入縦凹溝の下端左側から下方に向かって所定の高さまで、挿入縦凹溝と同一の横幅で形成された縦凹溝とからなることを特徴とする請求項１記載の二重容器。
【請求項３】
内容器本体の外周壁の前面側に、装飾部が配設され、
外容器本体と内容器本体を装着した時に、外容器本体の外周壁を透して、内容器本体の装飾部を外容器本体の装飾部と重ねて見ることができるようにしたことを特徴とする請求項１または２記載の二重容器。
【請求項４】
キャップは、透明または半透明の素材で形成された外キャップと、外キャップ内に装着されるとともに内容器本体に装着される内キャップとからなり、
内キャップの外周壁の前面側に、装飾部が配設され、
外キャップの外周壁を透して、内キャップの装飾部を見ることができるようにしたことを特徴とする請求項１〜３のいずれかに記載の二重容器。
【発明の詳細な説明】
【技術分野】
【０００１】
本発明は、二重容器、とくに内容器と、透明または半透明の素材で形成された外容器に装飾を施した二重容器に関するものである。
【背景技術】
【０００２】
内容物を収納する内容器を、装飾した外容器の内方に装着する合成樹脂製の二重容器は従来より知られている（例えば、特許文献１参照）。
【０００３】
また、外容器を透明または半透明の素材で形成し、内容器の外周壁に施した装飾を外容器の外周壁を透して見るようにした二重容器も従来より知られている（例えば、特許文献２参照）。
【０００４】
さらに、内容器の内容物を使用し終わった後に、内容器を外容器から取外し、内容物が充填された新しい内容器を装着して、再度使用するようにした二重容器も従来より周知である。
【先行技術文献】
【特許文献】
【０００５】
【特許文献１】実公昭５３−５３６５４号公報
【特許文献２】特開平１１−２７８５５９号公報
【発明の概要】
【発明が解決しようとする課題】
【０００６】
しかしながら、上記特許文献１記載の二重容器では、内容器と外容器の双方に、装飾が施されていなかった。
【０００７】
また、上記特許文献２記載の二重容器では、内容器の装飾を外容器の外周壁を透して見ることはできるが、外容器の外周壁に装飾を施した場合、内容器の装飾が外容器に対してどの位置に来るか解らず、外容器の装飾と内容器の装飾が意図せず重なり合い、装飾の意味がわからなくなるので、外容器の装飾が施されていなかった。
【０００８】
本発明は、上記問題を解決することを課題とし、透明または半透明の素材で形成した外容器と、内容器を、常に容器の前面側を位置合わせして装着させることができ、内容器に施した装飾を、外容器の外周壁を透して見ることができるとともに、内容器の装飾と外容器の装飾を重ねて見ることのできる二重容器を提供することを目的とする。
【課題を解決するための手段】
【０００９】
本発明は、上記課題を解決するため、二重容器として、透明または半透明の素材で形成された円形の外容器本体と、外容器本体内に装着される円形の内容器本体と、内容器本体に装着されるキャップとから形成された二重容器であって、外容器本体の外周壁には、前面側に装飾部が配設され、外周壁の内周上面には、左右両側に嵌合凹部、背面側に係合凹部が凹設され、内容器本体の外周壁の外周には、装飾部が配設され、左右両側と背面側に、外容器本体の二つの嵌合凹部と係合凹部に挿入する係合凸部が配設され、外容器本体の二つの嵌合凹部と係合凹部に、内容器本体の三つの係合凸部が係合し、外容器本体と内容器本体を、常に容器の前面側を位置合わせして装着させることができるようにしたことを特徴とする構成を採用する。
【００１０】
嵌合凹部と係合凹部の実施例として、嵌合凹部は、外周壁の上端から下方に向かって所定の高さまで、所定の横幅で形成された挿入縦凹溝と、挿入縦凹溝の下部左側から左方向に連設され、下方に向かって所定の高さまで、挿入縦凹溝と同一の横幅で形成された縦凹溝とからなり、係合凹部は、外周壁の上端から下方に向かって所定の高さまで、挿入縦凹溝のほぼ二倍の横幅で形成された幅広挿入縦凹溝と、幅広侵入縦凹溝の下端左側から下方に向かって所定の高さまで、挿入縦凹溝と同一の横幅で形成された縦凹溝とからなることを特徴とする構成を採用する。
【００１１】
装飾部の実施例として、内容器本体の外周壁の前面側に、装飾部が配設され、外容器本体と内容器本体を装着した時に、外容器本体の外周壁を透して、内容器本体の装飾部を外容器本体の装飾部と重ねて見ることができるようにしたことを特徴とする構成を採用する。
【００１２】
キャップの実施例として、キャップは、透明または半透明の素材で形成された外キャップと、外キャップ内に装着されるとともに内容器本体に装着される内キャップとからなり、内キャップの外周壁の前面側に、装飾部が配設され、外キャップの外周壁を透して、内キャップの装飾部を見ることができるようにしたことを特徴とする構成を採用する。
【発明の効果】
【００１３】
本発明の二重容器は、外容器本体に配設した二つの嵌合凹部と係合凹部に、内容器本体に配設した三つの係合凸部がそれぞれ係合することによって、外容器と内容器を、常に容器の前面側を位置合わせして装着させることができる。
【００１４】
外容器と内容器を、常に容器の前面側を位置合わせして装着させることができることにより、内容器に施した装飾を、外容器の外周壁を透して見ることができるとともに、内容器の装飾と外容器の装飾とを任意の形で重ね合わせて見ることができるようになった。
【図面の簡単な説明】
【００１５】
【図１】本願発明の二重容器の説明図で、（ａ）は一部断面前面図、（ｂ）は（ａ）のＡ−Ａ線における断面上面図である。
【図２】外容器本体の説明図で、（ａ）は断面図、（ｂ）は前面図である。
【図３】外容器本体の説明図で、（ａ）は上面図、（ｂ）は嵌合凹部の拡大図、（ｃ）は係合凹部の拡大図である。
【図４】内容器本体の説明図で、（ａ）は上面図、（ｂ）は一部断面前面図である。
【図５】嵌合凹部と係合凹部、係合凸部の作用説明図で、（ａ）は外容器本体に内容器本体を装着し始めたとき、（ｂ）は装着終了時である。
【図６】二重容器の前面図である。
【発明を実施するための形態】
【００１６】
次に、本発明の二重容器の実施形態について図面を参照して説明する。
図１に示すように、Ａは外容器本体Ａ１と外キャップＡ２とからなる透明または半透明の素材で形成された円形の外容器、Ｂは外容器Ａ内に装着される内容器本体Ｂ１と内キャップＢ２とからなる不透明の素材で形成された円形の内容器である。
【００１７】
外容器本体Ａ１は、図１、２に示すように、底壁１と、底壁１の外縁に立設される外周壁２とからなっている。
【００１８】
外周壁２の外周には、図１、２（ｂ）、３（ａ）に示すように、前面側に商品のロゴなどの装飾を施したメイン装飾部３と、背面側に能書きなどの装飾を施したサブ装飾部４が配設されている。
【００１９】
外周壁２の内周には、図１、２（ａ）、３（ａ）に示すように、上端に段部５が周設され、上面から見て左右両側のそれぞれに上端が開口する嵌合凹部６と、背面側に上端が開口する係合凹部７が、段部５の下端から下方に向かって凹設されている。
【００２０】
嵌合凹部６は、図１、２（ａ）、３（ａ）、３（ｂ）に示すように、内周側から見て、外周壁２の上端から下方に向かって所定の高さまで、所定の横幅で形成された挿入縦凹溝６ａと、該挿入縦凹溝６ａの下部左側から左方向にずれて連設され、下方に向かって所定の高さまで、挿入縦凹溝６ａと同一の横幅で形成された縦凹溝６ｂとから形成されている。
【００２１】
係合凹部７は、図１、２（ａ）、３（ａ）、３（ｃ）に示すように、内周側から見て、外周壁２の上端から下方に向かって所定の高さまで、嵌合凹部６の挿入縦凹溝６ａのほぼ二倍の横幅で形成された幅広挿入縦凹溝７ａと、該幅広挿入縦凹溝７ａの下端左側から下方に向かって所定の高さまで、挿入縦凹溝６ａと同一の横幅で形成された縦凹溝７ｂとから形成されている。
【００２２】
嵌合凹部６の挿入縦凹溝６ａと係合凹部７の幅広侵入縦凹溝７ａの下端はほぼ同じ高さで形成され、嵌合凹部６の縦凹溝６ｂと係合凹部７の縦凹溝７ｂの下端はほぼ同じ高さで形成されている。
【００２３】
外キャップＡ２は、図１に示すように、頂壁１０と、頂壁１０の外縁から垂設される外周壁１１とからなっており、外周壁１１の内周下部には、回転止め凹部１２が配設され、外キャップＡ２は、内方に内キャップＢ２が空回りしないように嵌着するようになっている。
【００２４】
内容器本体Ｂ１は、図１、図４に示すように、底壁１５と、底壁１５の外縁に立設される内周壁１６と、内周壁１６の外周の所定の高さに連設されるフランジ１７と、フランジ１７の下面に垂設される外周壁１８とからなっており、底壁１５上面と内周壁１６の内面との間に内容物が収納される。
【００２５】
内周壁１６の外周上部には、ねじ１９が螺設されている。
【００２６】
フランジ１７は、内容器本体Ｂ１を外容器本体Ａ１に装着する時に、フランジ１７の側面および下面外縁部が、外容器本体Ａ１の外周壁２の段部５と係合し、フランジ１７の上面が外周壁２の上面と面一となるように形成されている。
【００２７】
外周壁１８の外周には、上面から見て、前面側に、装飾を施した本体装飾部２０が配設され、左右両側と背面側に、外容器本体Ａ１の二つの嵌合凹部６と係合凹部７にそれぞれの開口に挿入する位置に係合凸部２１が配設されている。
【００２８】
係合凸部２１は、外容器本体Ａ１の挿入縦凹溝６ａと縦凹溝６ｂと縦凹溝７ｂの横幅内で可動可能な径で形成されているとともに、内容器本体Ｂ１を外容器本体Ａ１に装着した時に、下端部が縦凹溝６ｂおよび縦凹溝７ｂに当接する高さで外周壁１８外周に配設されている。
【００２９】
内キャップＢ２は、図１に示すように、頂壁２５と、頂壁２５の外縁から垂設される外周壁２６とからなっている。
また、好ましくは、頂壁２５の下面および外周壁２６の内周上端部に、パッキンＰが装着されるとよい。
【００３０】
外周壁２６には、内周に、内容器本体Ｂ１の内周壁１６のねじ１９と螺合するねじ２７が螺設され、外周下部に、外キャップＡ２の外周壁１１の回転止め凹部１２と係合する回転止め突部２８が配設されている。
【００３１】
また、回転止め突部２８と回転止め凹部１２は、内キャップＢ２を内容器本体Ｂ１に螺合して閉蓋した際に、内容器Ｂの前面側に位置する個所には配設されず、外周壁２６の外周の閉蓋した際に前面側となる位置には、内容器本体Ｂ１の外周壁１８の本体装飾部２０と連なる位置にキャップ装飾部２９が配設されている。
【００３２】
次に本発明の作用効果について説明する。
本発明の容器の組み立ては、まず、内容器本体Ｂ１を外容器本体Ａ１内に装着させる。
【００３３】
まず、内容器本体Ｂ１と外容器本体Ａ１の前面側を位置合わせして、内容器本体Ｂ１を外容器本体Ａ１内に下降させていくとともに、内容器本体Ｂ１の外周壁１８の左右両側と背面側に配設した係合凸部２１を、外容器本体Ａ１の外周壁２に形成した左右両側の嵌合凹部６の挿入縦凹溝６ａと背面側の係合凹部７の幅広侵入縦凹溝７ａにそれぞれの開口から挿入させていく。
【００３４】
その際、内容器本体Ｂ１と外容器本体Ａ１の前面側を位置合わせしないと、内容器本体Ｂ１の係合凸部２１のいずれかが、外容器本体Ａ１の外周壁２の二つの嵌合凹部６または係合凹部７のいずれかの開口に挿入できず、外周壁２の段部５上面に当接し、内容器本体Ｂ１の外容器本体Ａ１内に対する下降が阻止されるので、内容器本体Ｂ１を外容器本体Ａ１内に装着できない。
【００３５】
位置合わせして、それぞれの係合凸部２１を、挿入縦凹溝６ａと幅広侵入縦凹溝７ａに挿入させていくと、図５（ａ）に示すように、それぞれの係合凸部２１の下端が、挿入縦凹溝６ａと幅広侵入縦凹溝７ａの下端面に当接し、内容器本体Ｂ１の外容器本体Ａ１内に対する下降が止められる。
【００３６】
次に、内容器本体Ｂ１を外容器本体Ａ１に対して、反時計回りに廻動させ、図５（ｂ）に示すように、それぞれの係合凸部２１を嵌合凹部６の縦凹溝６ｂ内と係合凹部７の縦凹溝７ｂの開口に移動させると、係合凸部２１と段部５との当接が外れ、内容器本体Ｂ１の外容器本体Ａ１内に対する下降が再開される。
【００３７】
下降が進むと、それぞれの係合凸部２１の下端が、縦凹溝６ｂと縦凹溝７ｂの下端面に当接するとともに、内容器本体Ｂ１の外周壁１８の下端面が、外容器本体Ａ１の底壁１の上面に当接し、また、内容器本体Ｂ１のフランジ１７の側面および下面外縁部が、外容器本体Ａ１の外周壁２の段部５と当接し、内容器本体Ｂ１が、外容器本体Ａ１内に装着される。
【００３８】
最後に、内キャップＢ２の上方から外キャップＡ２を嵌着させた後、内容器本体Ｂ１に内キャップＢ２を螺着すると、閉蓋した内容器Ｂを内方に装着した外容器Ａとなる。
【００３９】
その際、内容器Ｂは、前面側の位置に本体装飾部２０とキャップ装飾部２９が連なっている。
【００４０】
本発明の容器は、外容器Ａが透明または半透明な素材で形成されているので、図６に示すように、外容器Ａを透して内容器Ｂの装飾を見ることができる。
【００４１】
外容器本体Ａ１の外周壁２の前面側に配設した商品のロゴなどの装飾を施したメイン装飾部３と、内容器本体Ｂ１の外周壁１８の前面側に配設した本体装飾部２０が重なるので、外周壁２を透してメイン装飾部３と本体装飾部２０を重ねて見ることができ、装飾の重ね効果を得ることができる。
【００４２】
また、外キャップＡ２を透して内キャップＢ２の外周壁２６の前面側に配設したキャップ装飾部２９を見ることができるので、内容器本体Ｂ１の本体装飾部２０とともにメイン装飾部３と重ねて見ることができ、趣のある装飾効果が得られる。
【００４３】
本発明の容器は、内容器本体Ｂ１の外周壁１８の左右両側と背面側に配設した三つの係合凸部２１と、外容器本体Ａ１の外周壁２の二つの嵌合凹部６と係合凹部７とのそれぞれの係合により、内容器Ｂが外容器Ａ内に、常に容器の前面側を位置合わせして装着される。
したがって、内容器本体Ｂ１の前面側にある本体装飾部２０が、外容器本体Ａ１の背面側にあるサブ装飾部４に重なって装着されることがない。
【００４４】
上記実施形態では、外容器本体Ａ１の外周壁２の外周にメイン装飾部３とサブ装飾部４を配設したが、外容器本体Ａ１は、透明または半透明の素材で形成されているので、メイン装飾部３とサブ装飾部４を表面を外側に向けて外周壁２の内周に配設してもよい。
その際は、外容器本体Ａ１の外周壁２を透し、サブ装飾部４とメイン装飾部３および内容器本体Ｂ１の本体装飾部２０を見ることができる。
また、外容器本体Ａ１の外周壁２の外周と内周の両方に装飾を設けるようにしてもよく、装飾部を配設する外容器本体Ａ１の外周壁２の面は、上記実施形態の形態に限定されない。
【００４５】
上記実施形態では、外容器Ａを外容器本体Ａ１と外キャップＡ２とし、内容器Ｂを内容器本体Ｂ１と内キャップＢ２とし、外キャップＡ２内に内キャップＢ２を嵌着しキャップとしたが、キャップの装飾が必要でなければ、キャップを内容器本体Ｂ１の口筒部に螺着するとともに、外周が外容器本体Ａ１の外周に連なるように形成されたキャップとしてもよい。
また、内キャップＢ２を、外キャップＡ２の内方に接着して完全に一体化させてもよいので、キャップの構成は、上記実施形態の形態に限定されない。
【００４６】
内容器本体Ｂ１内の内容物が使用してなくなったら、外容器本体Ａ１内から使用済みの内容器本体Ｂ１を外し、内容物を充填した新しい内容器本体Ｂ１を外容器本体Ａ１内に装着すると、再び使用することができる。
【００４７】
内容器本体Ｂ１を外容器本体Ａ１から外すには、まず、内容器本体Ｂ１を、外容器本体Ａ１に対して上方に持ち上げる。
【００４８】
内容器本体Ｂ１の上昇が進むと、外容器本体Ａ１のそれぞれの嵌合凹部６の縦凹溝６ｂの上端面に、内容器本体Ｂ１のそれぞれの係合凸部２１の上端が当接し、上昇が一旦止められる。
【００４９】
上昇が止められた後に、内容器本体Ｂ１を外容器本体Ａ１に対して、時計回りに廻動させ、図５（ａ）に示すように、それぞれの係合凸部２１を嵌合凹部６の挿入縦凹溝６ａ内と係合凹部７の幅広侵入縦凹溝７ａに移動させることによって、内容器本体Ｂ１の外容器本体Ａ１内に対する上昇を再開することができ、内容器本体Ｂ１を外容器本体Ａ１から外すことができる。
【００５０】
内容器本体Ｂ１の外容器本体Ａ１に対する上昇が一旦止められることによって、内容器本体Ｂ１が外容器本体Ａ１から簡単に外されることを阻止するので、容器使用中に内容器本体Ｂ１が外容器本体Ａ１から外れることを防止することができる。
【００５１】
上記実施形態では、外容器本体Ａ１の外周壁２の内周に、左右両側のそれぞれに嵌合凹部６と、背面側に係合凹部７を凹設しているが、内容器本体Ｂ１の外周壁１８の外周の左右両側と背面側に配設した係合凸部２１とそれぞれ係合して、内容器Ｂと外容器Ａとの前面側の位置合わせができるとともに、簡単に外れることを防止することができればよいので、外容器本体Ａ１の外周壁２の内周の左右両側および背面側の三個所に嵌合凹部６を設けるようにしてもよい。
【００５２】
上記実施形態では、内容器Ｂの装飾を前面側のみに設け、外容器Ａの装飾を前面側に設け、透明または半透明の素材で形成された外容器Ａの外周壁を透して、容器の前面側で外容器Ａの装飾と内容器Ｂの装飾による装飾の重ね効果を得ているが、本発明の容器は、外容器Ａと内容器Ｂとが常に位置合わせして装着されるので、外容器Ａの外周壁の任意の場所に装飾を施し、内容器Ｂの任意の場所に外容器Ａの装飾に重ねる装飾を設け、外容器Ａと内容器Ｂを装着することによって、容器の全周の任意の場所にそれぞれの装飾による装飾の重ね効果を得ることができる。
外容器Ａと内容器Ｂの装飾部の配設場所は、上記実施形態の形態に限定されない。
【００５３】
上記実施形態では、内容器Ｂを不透明な素材で形成したが、透明または半透明の素材で形成するようにしてもよい。
その場合、外容器Ａの外周壁とともに内容器Ｂの外周壁を透して、内容器Ｂ内の内容物の残量を視認することができる。
【産業上の利用可能性】
【００５４】
透明または半透明の素材で形成するとともに装飾を施した外容器と、装飾を施した内容器を前面側を位置合わせして装着することにより、任意の場所で内容器の装飾を外容器の外周壁を透して見るとともに、外容器の装飾と重ね合わせて見ることができるので、装飾効果を上げることができる。
また、内容器を取り替えて使用することができる二重容器として、広く利用できる。
【符号の説明】
【００５５】
Ａ          外容器
Ａ１        外容器本体
Ａ２        外キャップ
Ｂ          内容器
Ｂ１        内容器本体
Ｂ２        内キャップ
Ｐ          パッキン
１、１５    底壁
２、１１、１８、２６  外周壁
３          メイン装飾部
４          サブ装飾部
５          段部
６          嵌合凹部
６ａ        挿入縦凹溝
６ｂ        縦凹溝
７          係合凹部
７ａ        幅広侵入縦凹溝
７ｂ        縦凹溝
１０、２５  頂壁
１２        回転止め凹部
１６        内周壁
１７        フランジ
１９、２７  ねじ
２０        本体装飾部
２１        係合凸部
２８        回転止め凸部
２９        キャップ装飾部
【図１】
0005804831.tif 000002
【図２】
0005804831.tif 000003
【図３】
0005804831.tif 000004
【図４】
0005804831.tif 000005
【図５】
0005804831.tif 000006
【図６】
0005804831.tif 000007